(57)【特許請求の範囲】
【請求項１】
中空管状の外針と当該外針の内部に通された内針より成る二重針より構成され、体内の所定の部位に穿刺した後、前記外針を前記内針の先端より突出させて前記外針の先端によって前記部位の組織片を採取する生検針において、
前記内針を固定する針基を先端に有する内針用シャフト部材と、
前記内針用シャフト部材の外周に位置し、前記外針を固定する針基を先端に有する外針用シャフト部材と、
前記外針用シャフト部材の外周に位置し、前記内針用シャフト部材を固定すると共に、前記外針用シャフト部材を軸方向に移動可能にして支持する操作用把持部材と、
前記外針用シャフト部材に突出力を付与して前記外針を前記内針の先端より突出させる付勢部材と、
前記付勢部材の前記突出力に抗して前記外針用シャフト部材を突出前の位置に保持し、外部からの操作によって前記外針用シャフト部材の前記突出前の保持を解除する保持手段と、
前記外針用シャフト部材が前記付勢部材の前記突出力を受けて軸方向に移動する時、前記外針用シャフト部材に回転力を与えて前記外針を回転させながら前記内針より突出させる回転発生手段を備えていることを特徴とする生検針。
【請求項２】
前記保持手段は、前記外部からの操作によって回転する前記外針用シャフト部材の外周に固定された第１の円形磁石板と、前記本体筒の内部の所定の位置に固定された第２の円形磁石板より構成され、
前記第１，及び第２の円形磁石板は、周方向に複数のＮ極とＳ極が交互に配置された構成を有している請求項１の生検針。
【請求項３】
前記回転発生手段は、前記操作用把持部材の内周部に設けられたガイド用ピンと、前記外針用シャフト部材の外周に形成され、前記ガイド用ピンと係合したスパイラル溝より構成される請求項１の生検針。
【発明の詳細な説明】
【０００１】
【産業上の利用分野】
本発明は外針の先端で体内の組織を採取する生検針に関し、特に、組織の切取性を向上させ、組織片の採取を容易、且つ、適確に行えるようにして信頼性を向上させた生検針に関する。
【０００２】
【従来の技術】
現在、人間の体内の患部組織を採取する場合、生検針を使用することが一般的になっている。
【０００３】
生検針は、中空管状の外針と、その中に通された内針より成る二重針より構成され、これを体内の所定の部位に穿刺した後、外針を内針の先端より突出させることにより、外針の先端で患部組織が切り取られると共に外針の先端の内部に組織片が充填され、更に、二重針を体内から抜くことにより、所定の部位の組織片が採取できるようになっている。
【０００４】
【発明が解決しようとする課題】
しかし、従来の生検針によると、二重針を体内の所定の部位に穿刺した後、外針を直線的に突出させ、所謂、押し切りだけによって患部組織を切り取っているため、組織の切取性が悪く、患部組織を確実に採取することができないという不都合がある。
【０００５】
従って、本発明の目的は組織の切取性を向上させ、組織片の採取を容易、且つ、適確に行えるようにして信頼性を向上させることができる生検針を提供することである。
【０００６】
【課題を解決するための手段】
本発明は上記問題点に鑑み、組織の切取性を向上させ、組織片の採取を容易、且つ、適確に行えるようにして信頼性を向上させるため、内針を固定する針基を先端に有する内針用シャフト部材と、内針用シャフト部材の外周に位置し、外針を固定する針基を先端に有する外針用シャフト部材と、外針用シャフト部材の外周に位置し、内針用シャフト部材を固定すると共に、外針用シャフト部材を軸方向に移動可能にして支持する操作用把持部材と、外針用シャフト部材に突出力を付与して外針を内針の先端より突出させる付勢部材と、付勢部材の突出力に抗して外針用シャフト部材を突出前の位置に保持し、外部からの操作によって外針用シャフト部材の突出前の保持を解除する保持手段と、外針用シャフト部材が付勢部材の突出力を受けて軸方向に移動する時、外針用シャフト部材に回転力を与えて外針を回転させながら内針より突出させる回転発生手段を備えた生検針を提供するものである。
【０００７】
上記保持手段は、外部からの操作によって回転する外針用シャフト部材の外周に固定された第１の円形磁石板と、本体筒の内部の所定の位置に固定された第２の円形磁石板より構成され、第１，及び第２の円形磁石板は、周方向に複数のＮ極とＳ極が交互に配置された構成を有している。
【０００８】
上記回転発生手段は、操作用把持部材の内周部に設けられたガイド用ピンと、外針用シャフト部材の外周に形成され、ガイド用ピンと係合したスパイラル溝より構成されている。また、操作用把持部材の内周部にスパイラル溝を形成し、外針用シャフト部材の外周にガイド用ピンを設けても良い。
【０００９】
【作用】
上記構成に基づく本発明の生検針によると、外部からの操作によって保持手段の外針用シャフト部材の突出前の位置の保持を解除すると、付勢部材の突出力によって外針用シャフト部材が突出すると共に、回転発生手段で外針用シャフト部材に回転力が付与され、外針が回転しながら内針の先端より前方に突出する。このため、体内の患部組織を押し切りと引き切りによって切り取り、その結果、切取性を向上させることができる。
【００１０】
【実施例】
以下、本発明の生検針について添付図面を参照しながら詳細に説明する。
【００１１】
図１から図３には、本発明の生検針の一実施例の各構成が示されている。この生検針は、内針２４を固定する内針基２２を先端に有する内針ホルダー６と、内針ホルダー６の外周に設けられ、外針２３を固定する外針基２１を先端に有する外針ホルダー１３と、外針ホルダー１３の外周に設けられ、内針ホルダー６を固定すると共に、外針ホルダー１３を軸方向に移動可能にして支持する把持用の本体筒１と、外針ホルダー１３に突出力を付与して、図４に示すように、外針２３を内針２４の先端より突出させるスプリング９と、スプリング９の突出力に抗して外針ホルダー１３を突出前の位置に保持し、且つ、切換レバー１１Ｂの回動操作によってそれを解除する磁石部１５と、外針ホルダー１３の後端にネジ１９で固定され、外針ホルダー１３が軸方向に移動したとき、外針ホルダー１３に回転力を与える回転シャフト１０を備えて構成されている。
【００１２】
本体筒１は、滑り止め２が形成された前側筒部１Ａと、その後方に連接された後側筒部１Ｂより構成され、両者の間に切換レバー１１Ｂの回動範囲を規制する切欠部１Ｃが形成されている。前側筒部１Ａは、その先端にネジ係合し、外針２３の突出長、つまり、間隙３Ａの軸方向の長さをそのネジ込量によって調節する調節リング３と、調節リング３の先端に施されたキャップ４と、調節リング３の表面において外針２３の突出長を表示する表示部５を有している。一方、後側筒部１Ｂは、その後端にネジ８で固定された尾栓７と、尾栓７の内部に固定され、スプリング９と後述の内針ホルダー６のロッドを固定する固定金具２０と、後側筒部１Ｂの先端、つまり、本体筒１の中央付近内側にネジ１７で固定され、中心側に突出したピン１８を有したシャフトガイド１２を有している。
【００１３】
内針ホルダー６は、本体筒１の後部まで直伸したロッド６Ａを有し、このロッド６Ａと前述した尾栓７の固定金具２０の固定により、本体筒１に固定された構成を有している。
【００１４】
外針ホルダー１３は、突出前の位置において後述する切換リングの突起に当接して切換リング１１の回転力を受けると共に、スプリング９の突出力を受けて突出したとき、調節リング３の後端に当接する同心円弧状の係止片１３Ａを後端に有しており、係止片１３Ａの調節リング３の後端と当接する部分に緩衝用ゴムリング１６が設けられている。
【００１５】
切換レバー１１Ｂは、本体筒１の内面に回転自在に設けられ、内側に突出した突起１１Ａを有した切換リング１１と一体的に設けられ、周方向に回動できるように構成されている。
【００１６】
磁石部１５は、外針ホルダー１３の後端、すなわち、係止片１３Ａの内側にヨーク１４Ａを介して固定された円形磁石板１５Ａと、シャフトガイド１２にヨーク１４Ｂを介して固定された円形磁石板１５Ｂより構成されている。円形磁石板１５Ａ，１５Ｂは、それぞれ周方向に複数のＮ極とＳ極が交互に配置された構成を有しており（Ｎ極とＳ極の合計で６極，或いは８極が適当である）、切換リング１１の回動操作によって外針ホルダー１３、つまり、円形磁石板１５Ａを回転させることにより、相互の磁極の組み合わせを変化させて両者の間に結合力と反発力を発生して、外針ホルダー１３を突出前の位置に保持させたり、或いはそれを解除するようにしている。すなわち、Ｎ極とＳ極が対向した場合には、両者の結合力によって外針ホルダー１３を突出前の位置に保持し、Ｎ極とＮ極，或いはＳ極とＳ極が対向した場合には、両者の反発力によって外針ホルダー１３を突出前の位置に保持するのを解除するようになっている。
【００１７】
円形磁石板１５Ａ，１５Ｂには、例えば、Ｎｄ（３３％）−Ｆｅ（６６％）−Ｂ（１％）の組成を焼結させ、表面処理として電解Ｎｉめっきを膜厚１５μｍ施したもの（住友特殊金属（株）製のＮＥＯＭＡＸ４０に相当）を用いることが好ましい。このような磁石では、磁気特性としてＢｒ＝１２．７〜１３．３ＫＧ，ｂＨｃ＝１０．７〜１２．７ＫＯｅ，ｉＨｃ＞１３．０ＫＯｅ，最大エネルギー積ＢＨｍａｘ  ＝３９．０〜４３．０ＭＧＯｅが得られ、また、キューリー点が約３２０℃，使用限界温度が約１２０℃となる。
【００１８】
回転シャフト１０は、外面にスパイラル溝１０Ａが形成され、これに前述したシャフトガイド１２のピン１９が係合した構成を有している。すなわち、スプリング９の弾性力によって突出すると、ピン１９にガイドされて回転するようになっている。
【００１９】
以下、本発明の動作を説明する。まず、切換レバー１１Ｂが初期位置にあるとき、円形磁石板１５Ａ，１５ＢはＮ極とＳ極が結合して、スプリング９の弾性力に抗して外針ホルダー１３を突出前の位置に保持し、図４の実線で示されるように、外針２３から内針２４の先端が露出した状態にある。
【００２０】
次に、医者等が本体筒１を把持して、外針２３から内針２４の先端が露出した二重針を人間の所定の部位に穿刺する。
【００２１】
この後、切換レバー１１Ｂを操作して切換リング１１を回動させ、切換リング１１の突起１１Ａと当接した係止片１３Ａを介して外針ホルダー１３を回転させて、外針ホルダー１３に固定された円形磁石板１５Ａの磁極位置を変化させる。つまり、円形磁石板１５Ａ，１５Ｂの向かい合う磁極を同極にして、両者の間に反発力を発生させる。円形磁石板１５Ａ，１５Ｂ間に反発力が生じると、外針ホルダー１３の保持が解除され、その結果、スプリング９の弾性力によって外針ホルダー１３が前方に突出する。この時、回転シャフト１０のスパイラル溝１０Ａにピン１９が係合しているため、外針ホルダー１３に回転力が付与され、従って、図４の点線で示されるように、外針２３が回転しながら内針２４の先端より突出する。
【００２２】
このように外針２３が突出すると、外針２３によって体内の患部組織が切り取られて外針２３の先端に充填され、この後、二重針を体内から抜くと、組織片を採取することができる。また、外針２３で組織片を切り取る場合、外針５５が回転しながら突出するため、体内の患部組織を押し切りと引き切りによって容易、且つ、確実に切り取ることができる。
【００２３】
図５から図８には、本発明の生検針の第２の実施例の構造が示されている。この実施例の生検針は、先端に図８に示す外針基５４を固定する針基固定部３１を、また、後端にシャフト４２を有した外針シャフト３４と、後述する内針基を固定すると共に、外針シャフト３４を軸方向に移動可能にして支持する把持用の本体筒３２と、外針シャフト３４に突出力を付与して外針を内針の先端より突出させるスプリング４４，４５と、スプリング４４，４５の突出力に抗して外針シャフト３４を突出前の位置に保持すると共に、切換レバー３６の回動操作によってそれを解除する磁石部３８と、本体筒３２の内部における外針シャフト３４の外周に設けられ、外針シャフト３４が突出した時、回転力を付与するシャフトガイド３３を備えて構成されている。
【００２４】
本体筒３２は、滑り止め３２Ａが形成された前側筒部３２Ａと、その後方に連接された後側筒部３２Ｂより成り、後端に尾栓５１が固定された構成を有している。尾栓５１は、先端の針基固定部３１に、図８に示す先端に外針５５を有した外針基５４を固定した時、外針基５４を貫通し、後側筒部３２Ｂの後端まで伸びる内針５６の棒状内針基５７を外部から固定する固定ネジ５２を有している。
【００２５】
シャフトガイド３３は、図６に示されているように、中空管状に成形され、内外面を貫通するスパイラル溝３３Ａが形成された構成を有している。
【００２６】
外針シャフト３４は、図７に示されているように、小径部と大径部を有して管状に成形され、先端部の内面に針基固定部３１がネジ係合するネジ溝３４Ｂが、また、後端部の内面にシャフト４２がネジ係合するネジ溝３４Ｃがそれぞれ形成され、大径部の表面に形成されたネジ穴３４Ａにシャフトピン３５が固定された構成を有している。
【００２７】
切換レバー３６は、切換ピン３７を介して本体筒３２の内周部に回転自在に設けられた切換リング３７Ａと接続され、周方向に回動できるように構成されている。また、切換ピン３７は前述したシャフトピン３５と当接しており、切換レバー３７の回動によって外針シャフト３４が回転するようになっている。
【００２８】
磁石部３８は、シャフト４２の外周にヨーク３９を介して固定された円形磁石板３８Ａと、後側筒部３２Ｂの内面に固定された固定部４１にヨーク４０を介して固定された円形磁石板３８Ｂより構成されている。円形磁石板３８Ａ，３８Ｂは、第１の実施例で説明したように、それぞれ周方向に複数のＮ極とＳ極が交互に配置された構成を有しており、切換レバー３６の回動操作によってシャフト４２、つまり、円形磁石板３８Ａを回転させることにより、相互の磁極の組み合わせを変化させて両者の間に結合力と反発力を発生して、外針シャフト３４を突出前の位置に保持させたり、或いはそれを解除するようにしている。
【００２９】
スプリング４４，４５は、シャフト４２の後端にネジ係合したスプリング受け４３とスプリングガイド４６，４７と一体化したパイプ基４８，４９の間に挿入され、前述した磁石部３８において反発力が発生した時、外針シャフト３４を突出させるように構成されている。なお、５０はパイプ基４９と尾栓５１との間に配置されたスラストワッシャである。
【００３０】
以下、本発明の第２の実施例の動作について説明する。まず、切換レバー３６が初期位置にあると、円形磁石板３８Ａ，３８ＢのＮ極とＳ極が結合して、スプリング４４，４５の突出力に抗して外針シャフト３４を突出前の位置に保持し、外針５５から内針５６の先端が露出した状態にある。
【００３１】
次に、医者等が本体筒３２を把持して、外針５５から内針５６の先端が露出した二重針を人間の所定の部位に穿刺する。
【００３２】
この後、切換レバー３６を周方向に回動させ、切換ピン３７と当接したシャフトピン３５を介して外針シャフト３４を回転させて、シャフト４２の外周に固定された円形磁石板３８Ａの磁極位置を変化させる。つまり、円形磁石板３８Ａ，３８Ｂの向かい合う磁極を同極にして、両者の間に反発力を発生させる。円形磁石板３８Ａ，３８Ｂ間に反発力が生じると、外針シャフト３４の保持が解除され、その結果、スプリング４４，４５の弾性力によって外針シャフト４３が前方に突出する。この時、外針シャフト３４のシャフトピン３５がシャフトガイド３３のスパイラル溝３３Ａに沿って移動するため、外針シャフト３４に回転力が付与され、従って、外針５５が回転しながら内針５６の先端より前方に突出する。
【００３３】
この実施例においても、患部組織を切り取る場合、外針５５が回転しながら突出するため、それを容易、且つ、確実に行うことができ、信頼性を高めることができる。また、外針５５の先端部５５Ａの形状を、例えば、図９，及び図１０に示すように、適宜の形状にすることにより組織の切取性を向上させることも可能である。
【００３４】
【発明の効果】
以上説明した通り、本発明の生検針によると、内針を固定する針基を先端に有する内針用シャフト部材と、内針用シャフト部材の外周に位置し、外針を固定する針基を先端に有する外針用シャフト部材と、外針用シャフト部材の外周に位置し、内針用シャフト部材を固定すると共に、外針用シャフト部材を軸方向に移動可能にして支持する操作用把持部材と、外針用シャフト部材に突出力を付与して外針を内針の先端より突出させる付勢部材と、付勢部材の突出力に抗して外針用シャフト部材を突出前の位置に保持し、外部からの操作によって外針用シャフト部材の突出前の保持を解除する保持手段と、外針用シャフト部材が付勢部材の突出力を受けて軸方向に移動する時、外針用シャフト部材に回転力を付えて外針を回転させながら内針より突出させる回転発生手段を備えているため、組織の切取性を向上させ、組織片の採取を容易、且つ、適確に行えるようにして信頼性を向上させることができる。
【図面の簡単な説明】
【図１】本発明の一実施例を示す全体図。
【図２】一実施例に係る全体構造を示す断面図。
【図３】図２のＡ−Ａ線断面図。
【図４】一実施例に係る内針と外針の先端を示す説明図。
【図５】本発明の第２の実施例を示す断面図。
【図６】第２の実施例に係るシャフトガイドを示す説明図。
【図７】第２の実施例に係る外針シャフトを示す説明図。
【図８】第２の実施例に係る内外針を示す説明図。
【図９】本発明の第３の実施例を示す説明図。
【図１０】本発明の第４の実施例を示す説明図。
【符号の説明】
１      本体筒
１Ａ    前側筒部
１Ｂ    後側筒部
１Ｃ    切欠部
２      滑り止め
３      調節スリーブ
３Ａ    空隙
４      キャップ
５      表示部
６      内針ホルダー
６Ａ    ロッド
７      尾栓
８      ネジ
９      スプリング
１０    回転シャフト
１０Ａ  スパイラル溝
１１    切換リング
１１Ａ  突起
１１Ｂ  切換レバー
１２    シャフトガイド
１３    外針ホルダー
１３Ａ  係止片
１４Ａ，１４Ｂ  ヨーク
１５Ａ，１５Ｂ  円形磁石板
１６    緩衝用ゴムリング
１７    ネジ
１８    ピン
１９    ネジ
２０    固定金具
２１    外針基
２２    内針基
２３    外針
２４    内針
３０    滑り止め
３１    針基固定部
３２    本体筒
３２Ａ  前側筒部
３２Ｂ  後側筒部
３３    シャフトガイド
３３Ａ  スパイラル溝
３４    外針シャフト
３４Ａ  ネジ溝
３４Ｂ  ネジ溝
３４Ｃ  ネジ穴
３５    シャフトピン
３６    切換レバー
３７    切換ピン
３７Ａ  切換リング
３８    磁石部
３８Ａ  円形磁石板
３８Ｂ  円形磁石板
３９    ヨーク
４０    ヨーク
４１    固定部
４２    シャフト
４３    スプリング受け
４４，４５  スプリング
４６，４７  スプリングガイド
４８，４９  パイプ基
５０    スラストワッシャ
５１    尾栓
５２    固定ネジ
５４    外針基
５５    外針
５５Ａ  外針先端部
５６    内針
５７    棒状内針基
【図１】
0003546074.tif 000002
【図２】
0003546074.tif 000003
【図３】
0003546074.tif 000004
【図４】
0003546074.tif 000005
【図５】
0003546074.tif 000006
【図６】
0003546074.tif 000007
【図７】
0003546074.tif 000008
【図８】
0003546074.tif 000009
【図９】
0003546074.tif 000010
【図１０】
0003546074.tif 000011